(57)【要約】【課題】レンジフードの油煙等で汚染されたフィルタを自動的に効率よく洗浄する。【解決手段】ポンプ１２の駆動で温水を貯水した水槽８内で、フィルタ６を低速で回転してフィルタ６に付着した油を水槽８内に離脱させ、次いで水槽８内の水と油を排水弁１４を開にして排出し、次いでフィルタ６を高速で回転させながらポンプ１２を駆動して噴射ノズル９から水を噴射してフィルタ６に付着している油と塵埃を剥離し、水と共に水槽８外に排出してフィルタ６洗浄する。【選択図】図３
2009008275.tif 000002
【特許請求の範囲】
【請求項１】
本体と、前記本体内に空気を吸込む吸込口と屋外に連通した吐出口と前記吸込口と前記吐出口を結ぶ通風路内に空気を吸込み排気する排気ファンと前記排気ファンを駆動するモータと前記吸込口と前記排気ファンとの間に円形のフィルタを設け水平方向を回転軸として前記フィルタを回転駆動するフィルタモータと前記フィルタの一部を収納した水槽と前記水槽に給水し貯水する給水手段と前記水槽の貯水を排水する排水手段と前記水槽内において前記フィルタに水を噴射する噴射手段とを備え、前記給水手段により前記水槽に貯水し、前記フィルタの下方の一部を貯水した水に浸漬した状態で前記フィルタモータにより前記フィルタを低速で所定時間回転し、次に、前記排水手段により前記貯水を排水することにより前記脱離した油を排出し、次に、前記フィルタモータにより前記フィルタを高速で回転させ前記噴射手段により前記フィルタに水を噴射することでフィルタを洗浄することを特徴とするレンジフード。
【請求項２】
前記水槽に貯水した状態で前記フィルタを低速で所定時間回転する行程でのフィルタの回転は、正転と逆転が交互に繰り返される正逆反復回転である請求項１記載のレンジフード。
【請求項３】
前記の正逆反復回転は、正転の時間もしくは角度と、逆転の時間もしくは角度とが異なる請求項２記載のレンジフード。
【請求項４】
請求項２記載のフィルタの正逆反復回転は、間欠的に実施される請求項２記載のレンジフード。
【請求項５】
噴射手段による水の噴射を、フィルタの高速回転を所定時間継続した後に行うことを特徴とする請求項１記載のレンジフード。
【請求項６】
噴射手段による水の噴射を間欠的に実施することを特徴とする請求項１記載のレンジフード。
【請求項７】
給水手段は水タンクから補給される貯水槽の水をポンプで圧送するものであって、噴射手段による水の噴射は前記貯水槽の水の全てが排出されるまで継続される請求項１記載のレンジフード。
【請求項８】
フィルタに噴射手段により水を所定時間噴射した後に、フィルタの高速回転を所定時間継続することを特徴とする請求項１記載のレンジフード。
【請求項９】
フィルタの高速回転中は、排気ファンを駆動することを特徴とする請求項１記載のレンジフード。
【請求項１０】
本体と、前記本体内に空気を吸込む吸込口と屋外に連通した吐出口と前記吸込口と前記吐出口を結ぶ通風路内に空気を吸込み排気する排気ファンと前記排気ファンを駆動するモータと前記吸込口と前記排気ファンとの間に円形のフィルタを設け水平方向を回転軸として前記フィルタを回転駆動するフィルタモータと前記フィルタの一部を収納した水槽と前記水槽に給水し貯水する給水手段と前記水槽の貯水を排水する排水手段と前記水槽内において前記フィルタに水を噴射する噴射手段とを備え、貯水された前記水槽内に前記フィルタの一部を浸漬した状態で前記フィルタモータにより所定時間前記フィルタを低速回転させる浸漬洗浄行程と、前記浸漬洗浄行程の次に、前記排水手段により前記水槽の貯水を排水して前記水槽内に離脱した油を前記水槽外に排出する排水行程と、前記排水行程の次に、前記フィルタモータにより前記フィルタを所定時間高速回転させながら前記フィルタに前記噴射手段により水を噴射する噴射洗浄行程と、前記噴射洗浄行程の次に、前記フィルタモータにより前記フィルタの高速回転を所定時間継続させる乾燥行程を備えたことを特徴とするレンジフードにおけるフィルタ洗浄方法。
【請求項１１】
低速回転は、正転と逆転が交互に繰り返される正逆反復回転である請求項１０記載のレンジフードにおけるフィルタ洗浄方法。
【請求項１２】
噴射手段による水の噴射を間欠的に実施することを特徴とする請求項１０記載のレンジフードにおけるフィルタ洗浄方法。
【発明の詳細な説明】
【技術分野】
【０００１】
本発明は、家庭の厨房に使用されるレンジフードのフィルタ洗浄に関わり、高効率確実な洗浄を行うレンジフードおよびレンジフードにおけるフィルタ洗浄方法に関する。
【背景技術】
【０００２】
住宅の高気密化に伴って厨房における調理の際に発生する熱気や油煙を浄化して屋外に排出するレンジフードと呼ばれる換気装置が普及している。
【０００３】
このレンジフードには、排出する空気を浄化するための多孔質の素材、例えば金属メッシュのフィルタが装備されているが、レンジフードの使用経過に伴ってフィルタに油や塵埃が付着して換気性能が低下し、また、排気ファンの騒音が増大する。
【０００４】
このため、使用者において定期的にフィルタをレンジフード本体から取り外し、水洗いすることが必要であった。
【０００５】
この作業は、作業が繁雑で、且つ、手を汚すことから、フィルタを自動的に洗浄できるものが望まれており、この要望に応えるものとして、例えば特許文献１に示すようなものが提案されている。
【０００６】
特許文献１に示すものは、フィルタ（浄化部）の下部に浄化槽を設け、この浄化槽の中でフィルタを回転させながらフィルタの洗浄を行うようにしたものである。
【特許文献１】特開２０００−２１３７８４号公報
【発明の開示】
【発明が解決しようとする課題】
【０００７】
しかしながら、このような方法では、十分な洗浄性能が得られない課題があった。
【０００８】
すなわち、フィルタに液状に付着している油は比較的容易に除去できるが、塵埃とともに固形状に付着している油は除去しにくいという課題があった。
【０００９】
本発明は、このような従来の課題を解決するものであり、塵埃とともに短時間で固形状に付着している油を除去することができるレンジフードおよびレンジフードにおけるフィルタ洗浄方法を提供することを目的としている。
【課題を解決するための手段】
【００１０】
上記課題を解決するために本発明のレンジフードおよびレンジフードにおけるフィルタ洗浄方法は、貯水された水槽内にフィルタの一部を浸漬した状態で所定時間前記フィルタを低速回転させ、次に、前記水槽の貯水を排水して水槽内に離脱した油を前記水槽外に排出し、次に、前記フィルタを所定時間高速回転させながら前記フィルタに水を噴射し、次に、前記フィルタの高速回転を所定時間継続させるものである。
【００１１】
このことにより、フィルタの洗浄力を高めることができる。また、洗浄したフィルタを高速で回転させながら排気ファンでフィルタに通気させるようにしており、このため、フィルタを迅速に乾燥できる。
【発明の効果】
【００１２】
本発明によれば、フィルタに付着した塵埃とともに短時間で固形状に付着している油を除去することができ、フィルタの洗浄効果が高いレンジフードおよびレンジフードにおけるフィルタ洗浄方法を提供できる。
【発明を実施するための最良の形態】
【００１３】
本発明の請求項１記載のレンジフードは、本体と、前記本体内に空気を吸込む吸込口と屋外に連通した吐出口と前記吸込口と前記吐出口を結ぶ通風路内に空気を吸込み排気する排気ファンと前記排気ファンを駆動するモータと前記吸込口と前記排気ファンとの間に円形のフィルタを設け水平方向を回転軸として前記フィルタを回転駆動するフィルタモータと前記フィルタの一部を収納した水槽と前記水槽に給水し貯水する給水手段と前記水槽の貯水を排水する排水手段と前記水槽内において前記フィルタに水を噴射する噴射手段とを備え、前記給水手段により前記水槽に貯水し、前記フィルタの下方の一部を貯水した水に浸漬した状態で前記フィルタモータにより前記フィルタを低速で所定時間回転し、次に、前記排水手段により前記貯水を排水することにより前記脱離した油を排出し、次に、前記フィルタモータにより前記フィルタを高速で回転させ前記噴射手段により前記フィルタに水を噴射することでフィルタを洗浄することを特徴としている。
【００１４】
このことにより、フィルタに液状に付着した油分はもとより、糸くずや塵埃と共に固着した油を除去することができる。
【００１５】
本発明の請求項２記載の発明のレンジフードは、請求項１記載の発明において、水槽に貯水した状態でフィルタを低速で所定時間回転する行程でのフィルタの回転は、正転と逆転が交互に繰り返される正逆反復回転であることを特徴としている。
【００１６】
このことにより、水槽内の水とフィルタの相対速度が増大し、油の離脱が促進され、洗浄時間を短縮できる。
【００１７】
本発明の請求項３記載の発明のレンジフードは、請求項２記載の発明において、正逆反復回転は、正転の時間もしくは角度と、逆転の時間もしくは角度とが異なることを特徴としている。
【００１８】
このことにより、フィルタは一方向に漸次回転移動するので、フィルタの全面を均一に洗浄できる。
【００１９】
本発明の請求項４記載の発明のレンジフードは、請求項２記載の発明において、フィルタの正逆反復回転は、間欠的に実施されることを特徴としている。
【００２０】
このことにより、フィルタは水槽内の水に浸漬している時間が長くなることで固形状に付着している油の離脱が容易になり、洗浄性能が向上する。
【００２１】
本発明の請求項５記載の発明のレンジフードは、請求項１記載の発明において、水の噴射は、フィルタの高速回転を所定時間継続した後に実施されることを特徴としている。
【００２２】
このことにより、事前に残留している油を飛散させるので、水の噴射による洗浄効果が高められる。
【００２３】
本発明の請求項６記載の発明のレンジフードは、請求項１記載の発明において、水の噴射は、間欠的に実施されることを特徴としている。
【００２４】
このことにより、洗浄効果が高まり、洗浄性能が向上する。
【００２５】
本発明の請求項７記載の発明のレンジフードは、請求項１記載の発明において、給水手段は水タンクから補給される貯水槽の水をポンプで圧送するものであって、水の噴射は貯水槽の水の全てが排出されるまで継続されることを特徴としている。
【００２６】
このことにより、貯水槽に残留した水を長時間放置することによる水の腐食を防止できる。
【００２７】
本発明の請求項８記載の発明のレンジフードは、請求項１記載の発明において、フィルタに水を所定時間噴射した後に、フィルタの高速回転を所定時間継続することを特徴としている。
【００２８】
このことにより、フィルタの乾燥を促進することができフィルタの性能を素早く復元できる。
【００２９】
本発明の請求項９記載の発明のレンジフードは、請求項１記載の発明において、フィルタの高速回転中は、レンジフードの排気ファンを駆動することを特徴としている。
【００３０】
このことにより、水の噴射によりフィルタから離脱した塵埃等が屋外に排出される。またフィルタの乾燥が促進され、乾燥時間を短縮できる。
【００３１】
本発明の請求項１０記載の発明のレンジフードにおけるフィルタ洗浄方法は、本体と、前記本体内に空気を吸込む吸込口と屋外に連通した吐出口と前記吸込口と前記吐出口を結ぶ通風路内に空気を吸込み排気する排気ファンと前記排気ファンを駆動するモータと前記吸込口と前記排気ファンとの間に円形のフィルタを設け水平方向を回転軸として前記フィルタを回転駆動するフィルタモータと前記フィルタの一部を収納した水槽と前記水槽に給水し貯水する給水手段と前記水槽の貯水を排水する排水手段と前記水槽内において前記フィルタに水を噴射する噴射手段とを備え、貯水された前記水槽内に前記フィルタの一部を浸漬した状態で前記フィルタモータにより所定時間前記フィルタを低速回転させる浸漬洗浄行程と、前記浸漬洗浄行程の次に、前記排水手段により前記水槽の貯水を排水して前記水槽内に離脱した油を前記水槽外に排出する排水行程と、前記排水行程の次に、前記フィルタモータにより前記フィルタを所定時間高速回転させながら前記フィルタに前記噴射手段により水を噴射する噴射洗浄行程と、前記噴射洗浄行程の次に、前記フィルタモータにより前記フィルタの高速回転を所定時間継続させる乾燥行程を備えたことを特徴としている。
【００３２】
このことにより、フィルタに付着した油分はもとより、糸くずや塵埃と共に固着した油を除去することができる。
【００３３】
本発明の請求項１１記載の発明のレンジフードにおけるフィルタ洗浄方法は、請求項１０記載の発明において、低速回転は、正転と逆転が交互に繰り返される正逆反復回転であることを特徴としている。
【００３４】
このことにより、洗浄効果が高まり、洗浄性能が向上する。
【００３５】
本発明の請求項１２記載の発明のレンジフードにおけるフィルタ洗浄方法は、請求項１０記載の発明において、水の噴射は、間欠的に実施されることを特徴としている。
【００３６】
このことにより、洗浄効果が高まり、洗浄性能が向上する。
【００３７】
以下、本発明の実施の形態について図面を参照しながら説明する。
【００３８】
なお、説明をわかりやすくするために数字を例示しているが、本発明は、この数字に拘束されない。
【００３９】
（実施の形態１）
図１は本発明の実施の形態１の構成を示す図で、図１（ａ）は一部断面の正面図、図１（ｂ）は一部断面の側面図で、厨房の調理台（図示せず）の上方の壁面に設置される。
【００４０】
レンジフードの本体１は、調理台周辺の空気を吸込む吸込口２と、屋外に連通した吐出口３とを有し、内部に排気ファン４と、これを駆動するモータ５と、円形のフィルタ６と、これを駆動するフィルタモータ７と、フィルタ６の一部を収納する水槽８と、水槽８に設けた噴射ノズル９と、例えば、市水、ぬるま湯（例えば、４０℃程度）などの水を貯水する水タンク１０と、水タンク１０で給水される貯水槽１１と、貯水槽１１内の水を汲み上げるポンプ１２と、切替弁１３と、排水手段としての排水弁１４及び排水トレイ１５を備え、給水手段としてのポンプ１２と貯水槽１１を備えている。
【００４１】
モータ５で排気ファン４が駆動されると、調理台周辺の空気は図示Ａのように吸込口２から吸込まれ、フィルタ６を介して吐出口３から屋外に排出されるが、この際に油煙や塵埃がフィルタ６に補足され、屋外には浄化された空気が排出される。
【００４２】
図２は図１のフィルタ６の周辺の詳細な構成を示す図であり、図２（ａ）は正面図、図２（ｂ）は一部断面の側面図である。
【００４３】
フィルタ６は、その下方の一部が水槽８内に収納され、レンジフードの本体１内に固定された（図示しない）フィルタモータ７の駆動で図示Ｂの方向に回転する。
【００４４】
水槽８は、上方に給水孔８ａ、下方に排水孔８ｂを備え、側面に噴射ノズル９を備えている。
【００４５】
噴射ノズル９は、フィルタ６の回転時にフィルタ６の回転を迎える側の水槽８の側面に取り付けられており、図示Ｃのような水を噴射するための複数の噴射孔９ａを備えている。
【００４６】
カバー１６は、後述のフィルタ６が回転したときに飛散する油や水滴を水槽８内に回収するために備えられている。
【００４７】
図３は水回路と電気回路を示す図である。まず、太線Ｄで示す水回路について説明する。貯水槽１１に滞留している水は、ポンプ１２が駆動することにより切替弁１３を経て給水孔８ａより水槽８に給水されるか、もしくは、噴射ノズル９より水を噴射することで水槽８内に給水される。水槽８内に滞留している水は、排水手段としての排水弁１４を開放することにより、水槽８内から排出され、排水トレイ１５に滞留する。
【００４８】
つぎに電気回路について説明する。制御装置１７は、その内部にマイコンなどのＣＰＵと各種のインタフェース（図示せず）を備えており、スタートスイッチ１８を使用者が操作することにより動作を開始し、ＣＰＵがそれぞれのインタフェースを介してモータ５、フィルタモータ７、ポンプ１２、切替弁１３、排水弁１４を制御する。
【００４９】
最後に、以上の図１〜図３を参照しながら図４の制御装置１７の動作を説明するためのフローチャートを用いて詳細な動作を説明する。
【００５０】
まず、使用者は、例えば、固着した油が軟化、あるいは剥離し易い程度の温度で使用者が扱易い温度程度のぬるま湯（例えば、４０℃程度）を充填した水タンク１０を貯水槽１１に装着してスタートスイッチ１８を押すと、Ｓ（ステップ）１０１において、排水弁１４を閉じて、ポンプ１２を駆動し、切替弁１３を給水側にして水槽８に給水して水槽内に水、例えば、ぬるま湯を蓄える。この場合、水槽８に適量の水、例えば、ぬるま湯を蓄える方法としては、所定時間（例えば、７秒）ポンプ１２を運転してもよく、図示しないが水槽８に水位センサを設けて水位センサが適正水位を検知するまでポンプ１２を運転するよいにしても良い。
【００５１】
水槽８の貯水が終了するとＳ１０２でフィルタモータ７を水槽８内の水が槽外に飛散しない程度の低速回転（例えば毎分３０回転程度）で図２のＢの方向に回転させフィルタ６に付着した油を水槽８内の水に離脱させるが、この場合、モータの回転方向を一方向ではなく正逆交互に、かつ回転時間を正逆異なるようにして行うことが望ましい。例えば１秒間はＢ方向に、次に０．５秒間はその逆方向にすることで油の離脱が促進され、また、フィルタ６は順次Ｂ方向に移動するので、フィルタ６を全周に亘り洗浄することが可能になる。なお、フィルタ６を低速で回転させるのは、高速で回転させた場合に水槽８内の水が離脱した油とともに槽外に飛散するのを防止するためである。
【００５２】
次にＳ１０３でフィルタ６の回転を停止させ、Ｓ１０４で所定時間待機（例えば５秒間）する。ぬるま湯に浸っている時間が長くなることにより固着した油が軟らかくなり、油の離脱が促進される。
【００５３】
以上の洗浄動作は所定時間、例えば５分間継続し（Ｓ１０５）、次にＳ１０６で排水弁１４を開にして水槽８内の水を離脱した油と共に排水して排水トレイ１５に滞留させる。
【００５４】
次にＳ１０７で排水の終了を待って、次のＳ１０８でフィルタ６を付着した油や水などがフィルタ６から飛散、脱離する程度の高速回転（例えば、毎分１４００回転程度）で、図２のＢ方向に回転させる。このフィルタ６の高速回転はＳ１０９の所定時間（例えば１０秒間）継続されるが、この間にフィルタ６に残留している油と水の一部は遠心力でフィルタ６の周囲に飛散する。一部は水槽８内に飛散し、他は図２のカバー１６で捕捉されて水槽８に回収され、共に排水弁１４を経て排水トレイ１５に滞留される。
【００５５】
次にＳ１１０でモータ５を駆動して排気ファン４を回転し、次にＳ１１１でフィルタ６の高速回転を継続させたまま、ポンプ１２を駆動し、切替弁１３を噴射ノズル９側にして噴射ノズル９から水をフィルタ６に対して水平方向に噴射する。この水の噴射は所定時間（例えば２秒間）継続し（Ｓ１１２）、次にＳ１１３で水の噴射を停止させ、Ｓ１１４で所定時間待機（例えば５秒間）した後、再びＳ１１１〜Ｓ１１４の間欠ノズル水噴射の動作をＳ１１５で所定回数回（複数回、例えば３回）行う。
【００５６】
この間欠ノズル水噴射を繰返し行うことによりフィルタ６に残留している塵埃と油の固形物が剥離され、遠心力で周囲に飛散するのでフィルタ６の洗浄がさらに進行する。また、この過程でフィルタ６から飛散する水滴の衝突により、カバー１６と水槽８の内壁に付着している油も剥離され、前述の剥離された固形物および噴射された水とともに排水弁１４から排出して排水トレイ１５に滞留される。
【００５７】
所定回数（例えば、３回）の間欠ノズル水噴射が終了すると、Ｓ１１６で再び水の噴射を行うが、この場合は連続で水の噴射を行い、Ｓ１１７で貯水槽１１の残水がゼロになるまで継続する。
【００５８】
残水をゼロにする方法としては水の噴射を所定時間（例えば、５秒）行ってもよく、貯水槽に水位センサを設けて（図示しない）水位センサが残水ゼロを検知するまで水の噴射を行うようにしてもよい。
【００５９】
このことで貯水槽１１に水が長期間滞留することによる水の腐食を防止でき、加えて、水槽８の内部およびカバー１６の内面の洗浄も進行させることができる。
【００６０】
次にＳ１１８ではフィルタ６の高速回転を所定時間（例えば３分）継続し、これによりフィルタ６に残留している水分の乾燥を行うが、排気ファン４を駆動しているのでフィルタ６を通過する空気で乾燥が促進され短時間にフィルタ６を乾燥できる。
【００６１】
所定時間（例えば３分）後、Ｓ１１９で、フィルタ６の回転と排気ファン４の回転を停止させて自動洗浄の運転動作を終了する。
【００６２】
以後は、使用者が排水トレイ１５に滞留した油や水を廃棄してフィルタの洗浄作業を終了する。
【００６３】
以上説明したように本発明のレンジフードにおけるフィルタの自動洗浄装置および自動洗浄方法は、油等で汚染したフィルタを水槽に浸漬して洗浄するだけでなく、フィルタを高速で回転させながら水を噴射するようにしたものであるから、フィルタの洗浄力を極めて高くすることができるものであり、また、フィルタも高速で回転させながら排気ファンでフィルタに通気させるので乾燥時間も短縮できる。
【００６４】
なお、本実施の形態では、フィルタ６の片方の面に水の噴射をするようにしたが、他方の面にも噴射ノズルを設けて水を噴射するようにしてもよく、この場合はさらに洗浄力を高めることができる。
【００６５】
また、水槽８からの排水を排水トレイ１５に滞留させるようにしたが、直接下水に放流するようにしても差し支えない。
【００６６】
また、水槽８への給水を水タンク１０で貯水槽１１に給水し、ポンプ１２で水を汲み上げるようにしたが、直接給湯器からぬるま湯（例えば、４０℃）を給水するようにしても差し支えない。
【産業上の利用可能性】
【００６７】
本発明のレンジフードおよびレンジフードにおけるフィルタ洗浄方法は、使用者が手を汚すことなく、フィルタに付着した油を高い除去性能で除去できるので、家庭用以外の例えば業務用レンジフードの用途や、工場などの油煙除去装置などの用途にも適用できる。
【図面の簡単な説明】
【００６８】
【図１】本発明の実施の形態１のレンジフードの構成を示す図（（ａ）同断面の正面図、（ｂ）同断面の側面図）
【図２】同フィルタ周辺の詳細な構成を示す図（（ａ）同正面図、（ｂ）同断面の側面図）
【図３】同水回路と電気回路を示す図
【図４】同制御装置の動作を説明するためのフローチャート
【符号の説明】
【００６９】
１    本体
２    吸込口
３    吐出口
４    排気ファン
５    モータ
６    フィルタ
７    フィルタモータ
８    水槽
９    噴射ノズル
１１  貯水槽
１２  ポンプ
１４  排水弁
【図１】
2009008275.tif 000003
【図２】
2009008275.tif 000004
【図３】
2009008275.tif 000005
【図４】
2009008275.tif 000006